(57)【要約】【課題】  災害発生時に避難場所の距離と方向性が一目瞭然に解ると共に、平穏時は犯罪が減少する青色防犯灯を提供する。【解決手段】  犯罪が減少する防犯灯とは、地面に立設されたポールの最上部にソーラーパネルを設置し、そのソーラーパネルから発生した起電力を充電するシール型蓄電池に蓄電させ、この蓄電池を電源として青色と白色の高輝度LEDを発光させる。この発光体は日の暮れから夜明けまでその近辺の防犯灯として明かりを供給する。下部に反射シートで作成した避難誘導標識を取り付ける。表示内容として、絵文字（ヒクトグラフ）の表示と最短の避難場所、距離を示す。又偶然その被災地で被災した旅行者や外国人の為、英語・中国語・ハングル語で表示し、迷わないように示す。【選択図】  図１0003127926.tif 000003
0003127926.tif 000002
【実用新案登録請求の範囲】
【請求項１】
地中に施工したコンクリート基礎から、地面に立設されたポールの最上部に取り付けられたソーラーパネルからの起電力を蓄電池に蓄電し、その電源で高輝度青色・白色ＬＥＤを発光する防犯灯であり、震災発生時には、現在地より一番近い避難場所への誘導標識を取り付けた安全誘導防犯灯。
【請求項２】
点灯と消灯は、昼夜検出電源センサーを取り付けた請求項１記載の安全誘導防犯灯。
【請求項３】
請求項１及び請求項2記載の、安全誘導防犯灯は、避難場所を絵文字（ヒクトグラフ）や文字で表示し、その表示面は、上部のＬＥＤで反射するカッティングシートを使用する。
【考案の詳細な説明】
【技術分野】
【０００１】
本考案は、通常犯罪を抑制する青色防犯灯として、又地震や台風発生時において、火災や浸水などで被災者に安全な避難場所へ誘導する安全誘導防犯灯に関する。
【背景技術】
【０００２】
地震や台風などの災害発生時に安全な場所を求めて逃げる被災者に避難場所を絵文字（ヒクトグラフ）を用いて示す避難場所表示柱や津波発生時において行楽客等を安全な避難場所へ誘導する誘導標は此れまでにも公知されているが。
【特許文献１】特許公開２００５−１６３０２この内容は、ヒクトグラフを表示し情報・救護活動・医師による救急医療・非常飲料水などの設備がある場所への避難誘導標識であるが、照明がヒクトグラフ部分のみの表示で終わっており、深夜に至っては暗く地震の発生時のみの発光で普段は暗い。
【特許文献２】登録実用新案第３１２０７８８この内容は、津波発生時、観光客などへ対してソーラーパネルからの発電で、安全な高台への避難方向を示しているが、津波発生時海岸に近い所にいる人々に対しての避難誘導標識であり、山間部や、一般陸地部分にいる人々には不要であり、又その照明においては誘導標識に対しての照明である。
【考案の開示】
【考案が解決しようとする課題】
【０００３】
しかしながら、上記公知例は、何れも地震や津波など震災発生時のみ有効な標識であって普段の平穏時には無用と思われる。
【０００４】
本考案は上記の実状に鑑みて提供されるもので、避難場所の設備が一目瞭然である安全誘導標識と普段平穏時には青色と白色LEDにより日暮れから夜明けまで暗い夜道を照らし、防犯に貢献する安全誘導防犯灯を目的とするものである。
【課題を解決するための手段】
【０００５】
上記目的を達成するために、請求項1に記載の考案においては、通常は、ソーラーパネルからの起電力を電源として発光するLEDを地面に立設されたポールに取り付けられた防犯灯であるが、地震その他災害発生時に、その地域に居合わした旅行者や地域住民に対して、現在地より一番近い避難場所への誘導標識を取り付けた防犯灯である。
【０００６】
更に請求項２に記載の考案においては、その防犯灯は、青色と白色高輝度LEDを内蔵し、犯罪を抑制する効果を有し、日暮れから夜明けまで地域の防犯に貢献する。
【０００７】
更に、請求項３に記載の考案においては、青色高輝度LEDと白色LEDの照明で照らされた安全誘導標識は、避難場所を示す絵文字（ヒクトグラフ）と距離をメートルで表示し震災地に居合わした海外からの旅行者のためには、外国語で避難場所を表示する。その文字は最上部に位置する高輝度LED照明で反射するカッティングシートを使用する
【考案の効果】
【０００８】
本考案の効果は、青色高輝度LEDと白色LEDの照明で平穏時は地域住民の防犯に貢献し、災害発生時においては、絵文字（ヒクトグラフ）と安全誘導標識で住民や偶然その場所で被災に会った外国の旅行者をも、安全な避難場所へと誘導する効果がある。
【考案を実施するための最良の形態】
【０００９】
以下本考案に係る安全誘導防犯灯実施例に基づき説明する。図１は本考案に係る安全誘導防犯灯の実施例を示す正面図、図２は図１の安全誘導防犯灯の斜面図、図３は図１・２の安全誘導防犯灯柱における看板部分表示を示す説明図である。
【実施例】
【００１０】
安全誘導防犯灯の、誘導標識部分は、反射式のカッティングシートで作成。絵文字（ヒクトグラフ）や距離で明記され、外国語で示し、上部に設置の高輝度ＬＥＤに照らされる安全誘導防犯灯。
【産業上の利用可能性】
【００１１】
本考案は、全国の自治体との協力において実施するものであるが、地域大型駐車場や空き地を併設した事業主の協力を得て、その指定場所への設置も考えられる。
【図面の簡単な説明】
【００１２】
【図１】安全誘導防犯灯柱の正面図
【図２】安全誘導防犯灯柱の側面図
【図３】安全誘導防犯灯柱のソーラーパネルとLED防犯灯の説明図
【図４】安全誘導防犯灯柱の誘導看板部分の説明図
【図５】安全誘導防犯灯柱の下部シール蓄電池部分の説明図
【符号の説明】
【００１３】
１・ソーラーパネル
２・シール型鉛蓄電池
３・高輝度青・白ＬＥＤ
４・ひなん表示板
５・英語ひなん表示
６・中国語ひなん表示
７・ハングル語ひなん表示
８・ひなん場所表示
９・ひなん場所までの距離表示
【図２】
0003127926.tif 000004
【図３】
0003127926.tif 000005
【図４】
0003127926.tif 000006
【図５】
0003127926.tif 000007
【図１】
0003127926.tif 000008
【手続補正書】
【提出日】平成18年8月18日(2006.8.18)
【手続補正１】
【補正対象書類名】実用新案登録請求の範囲
【補正対象項目名】請求項３
【補正方法】変更
【補正の内容】
【請求項３】
避難場所は絵文字（ヒクトグラフ）や文字で表示し、その表示面は、上部のＬＥＤで反射するカッティングシートを使用することを特徴とする。請求項１又は、請求項２記載の、安全誘導防犯灯。
【手続補正書】
【提出日】平成18年9月26日(2006.9.26)
【手続補正１】
【補正対象書類名】実用新案登録請求の範囲
【補正対象項目名】請求項３
【補正方法】変更
【補正の内容】
【請求項３】
避難場所は絵文字（ヒクトグラフ）や文字で表示し、その表示面は、上部のＬＥＤで反射するカッティングシートを使用することを特徴とする、請求項１又は、請求項２記載の、安全誘導防犯灯。
【手続補正書】
【提出日】平成18年10月23日(2006.10.23)
【手続補正１】
【補正対象書類名】実用新案登録請求の範囲
【補正対象項目名】請求項１
【補正方法】変更
【補正の内容】
【請求項１】
地中に施工したコンクリート基礎から、地面に立設されたポールの最上部に取り付けられたソーラーパネルからの起電力を蓄電池に蓄電し、その電源で高輝度青色・白色ＬＥＤを発光させる防犯灯であり、ひなん誘導表示面は、発光するLEDの下部に取り付けられた安全誘導防犯灯。
【手続補正２】
【補正対象書類名】実用新案登録請求の範囲
【補正対象項目名】請求項２
【補正方法】変更
【補正の内容】
【請求項２】
点灯と消灯は、昼夜検出電源センサーにより行なう請求項１記載の安全誘導防犯灯。